(57)【要約】【課題】エクステンションユニット付きサンバイザにおいて、エクステンションプレートを引き出した際、エクステンションプレート上縁側上方の隙間をなくし、遮光面積を拡大できるエクステンションユニット付きサンバイザを提供する。【解決手段】サンバイザ本体２０に内装されるエクステンションユニット３０は、偏平状のケース３１，３２内に２枚のエクステンションプレート（第１プレート３３、第２プレート３４）が重合状態で引き出し自在に収容され、第１プレート３３、第２プレート３４間にバネ部材３５を介装し、第１プレート３３、第２プレート３４を重合状態で引き出した際、プレート３３，３４間のバネ部材３５のバネ圧により、第２プレート３４が第１プレート３３に対して引き出し方向と略直交する方向にバネ付勢され、従来の隙間を埋めるように上方にスライド動作する。【選択図】図１０
2006001410.tif 000002
【特許請求の範囲】
【請求項１】
所望の遮光面積を有するサンバイザ本体（２０）に内装されたエクステンションユニット（３０）からエクステンションプレート（３３，３４）をサンバイザ本体（２０）の長手方向に沿って引き出すことにより、遮光範囲を拡大できるようにしたエクステンションユニット付きサンバイザ（１０）であって、
前記エクステンションユニット（３０）は、サンバイザ本体（２０）内部のケース（３１，３２）内に引き出し自在に２枚のエクステンションプレート（３３，３４）が重合状態で収容されるとともに、このエクステンションプレート（３３，３４）を引き出す際、幅方向スライド手段により、引き出し途中から一方側のプレート（３３）に対して他方側のプレート（３４）が引き出し方向と略直交する方向に上方にスライド動作して、遮光範囲を拡大できるようにしたことを特徴とするエクステンションユニット付きサンバイザ。
【請求項２】
前記エクステンションユニット（３０）における２枚のエクステンションプレート（３３，３４）には、該プレート（３３，３４）間に介装されるバネ部材（３５）による付勢力が常時作用し、エクステンションプレート（３３，３４）の収容時には、バネ部材（３５）のバネ力に対してケース（３１，３２）の上下縁部により、双方のプレート（３３，３４）が重合状態で規制されるとともに、上記エクステンションプレート（３３，３４）の引き出し時には、ケース（３１，３２）から加わる外力が解除されることで、一方側のプレート（３３）に対して他方側のプレート（３４）がバネ部材（３５）のバネ力により引き出し方向と略直交する方向に上方にスライド動作することを特徴とする請求項１に記載のエクステンションユニット付きサンバイザ。
【請求項３】
前記エクステンションユニット（３０）におけるケース（３１，３２）の引き出し口付近に取り付けられるエクステンションエスカッション（３６）の内面にカム用突起（３６１）が突設され、かつ、裏面側に位置するエクステンションプレート（３４）には、上記カム用突起（３６１）をガイドするカム溝（３４８）が形成され、エクステンションプレート（３３，３４）の外方への引き出し時、このカム用突起（３６１）がカム溝（３４８）を移行する際、傾斜カム溝（３４８ａ）内を摺動することにより、上記エクステンションプレート（３４）が引き出し途中から引き出し方向と略直交する方向に上方にスライド動作することを特徴とする請求項１に記載のエクステンションユニット付きサンバイザ。
【発明の詳細な説明】
【技術分野】
【０００１】
この発明は、遮光面積を拡大できるエクステンションユニット付きサンバイザに係り、特に、エクステンションプレートを引き出した際、エクステンションプレートと天井との間の隙間を有効に遮蔽できるエクステンションユニット付きサンバイザに関する。
【背景技術】
【０００２】
通常、車両の運転席及び助手席の斜め上方には、太陽光線や夜間対向車のライト等を有効に遮蔽できるように車両用サンバイザが設けられている。ところで、最近では、天井面にコンパクトに格納できるとともに、特に、サイドウインドウ越しの太陽光線を遮蔽する際に、広い遮光面積を確保できるように、図１６に示すエクステンションユニット付きサンバイザ１が多用される傾向にある。上記エクステンションユニット付きサンバイザ１は、所望の遮光面積を有するサンバイザ本体２が回動用シャフト２ａに回動自在に支承され、この回動用シャフト２ａは、ブラケット２ｂを介して車体側に取り付けられている。
【０００３】
従って、サンバイザ本体２は、回動用シャフト２ａ廻りに上下方向に回動操作できるとともに、ブラケット２ｂ廻りに回動用シャフト２ａを回動操作することにより、左右方向に回動可能であり、フロントウインドウはもとより、サイドウインドウにおける遮蔽もまた可能である。尚、図１６はサンバイザ本体２をサイドウインドウ側に回動操作した状態のエクステンションユニット付きサンバイザ１を車室内側からみた正面図である。
【０００４】
そして、サンバイザ本体２に付設されるエクステンションユニット３は、サンバイザ本体２に内装される偏平状のケース４内にエクステンションプレート５が引き出し自在に収容されて構成され、図１７に示すように、ケース４の開口４ａからサンバイザ本体２の長手方向に沿ってエクステンションプレート５を引き出して、遮光面積を拡大するようにしている（例えば、特許文献１参照。）。
【０００５】
【特許文献１】特開平７−３０９１３２号公報（第２頁、図１）
【発明の開示】
【発明が解決しようとする課題】
【０００６】
このように、従来のエクステンションユニット付きサンバイザ１は、サイドウインドウ側に展開操作した後、サンバイザ本体２に格納されているエクステンションユニット３のエクステンションプレート５を開口４ａから外側に引き出し、図１７に示すように、サンバイザ本体２の遮光面積に対してエクステンションプレート５の遮光面積を付加することで、トータルとしての遮光面積を拡大するというものであるが、図示するように、サンバイザ本体２の縦幅（図中ａで示す）に対して、エクステンションプレート５の縦幅（図中ｂで示す）が短寸であるため、図中ｃで示す寸法分のスキが生じ、このスキｃを通して直射日光がサイドウインドウ越しに入射することで、充分な遮蔽効果を確保できるとは言い難いものであった。
【０００７】
この発明は、このような事情に鑑みてなされたもので、エクステンションユニット付きサンバイザにおいて、エクステンションプレートの幅寸法の制約を解消でき、遮光面積を拡大して、乗員の安全走行に大きく貢献できるエクステンションユニット付きサンバイザを提供することを目的とする。
【課題を解決するための手段】
【０００８】
上記目的を達成するために、本発明は、所望の遮光面積を有するサンバイザ本体に内装されたエクステンションユニットからエクステンションプレートをサンバイザ本体の長手方向に沿って引き出すことにより、遮光範囲を拡大できるようにしたエクステンションユニット付きサンバイザであって、前記エクステンションユニットは、サンバイザ本体内部のケース内に引き出し自在に２枚のエクステンションプレートが重合状態で収容されるとともに、このエクステンションプレートを引き出す際、引き出し途中から一方側のプレートに対して他方側のプレートが引き出し方向と略直交する方向に上方にスライド動作して、遮光範囲を拡大できるようにしたことを特徴とする。
【０００９】
ここで、サンバイザ本体は、サンバイザコアの外表面をサンバイザ表皮により被包して構成され、サンバイザコアとしては、射出成形体からなる中空芯材や、フレーム状のワイヤフレームをインサートした発泡ビーズ成形体等が使用できる。
【００１０】
次いで、サンバイザ本体内部に装着されるエクステンションユニットは、ケースとケース内に引き出し可能に収容される２枚のエクステンションプレートとから構成され、２枚のエクステンションプレートは、ケース内に収容される収容時においては、２枚のプレートが重合しており、エクステンションプレートの引き出し途中までは、収容時と変わらず、エクステンションプレートは、一体に引き出し方向にスライドするが、幅方向スライド手段により、引き出し途中から一方側のエクステンションプレートは長手方向に引き出され、他方側のエクステンションプレートは引き出し方向と略直交する方向、すなわち、死角となる上縁を塞ぐように上方にスライド動作する。
【００１１】
この幅方向スライド手段としては、バネ機構とカム機構とが考えられる。バネ機構を利用すれば、前記エクステンションユニットにおける２枚のエクステンションプレートには、該プレート間に介装されるバネ部材による付勢力が常時作用し、エクステンションプレートの収容時には、バネ部材のバネ力に対してケースの上下縁部により、双方のプレートが重合状態で規制されるとともに、上記エクステンションプレートの引き出し時には、ケースから加わる外力が解除されることで、一方側のプレートに対して他方側のプレートがバネ部材のバネ力により引き出し方向と略直交する方向に上方にスライド動作することを特徴とする。
【００１２】
一方、カム機構を利用すれば、前記エクステンションユニットにおけるケースの引き出し口付近に取り付けられるエクステンションエスカッションの内面にカム用突起が突設され、かつ、裏面側に位置するエクステンションプレートには、上記カム用突起をガイドするカム溝が形成され、エクステンションプレートを外方に引き出した際、このカム用突起がカム溝を移行する際、傾斜カム溝内を摺動することにより、上記エクステンションプレートが引き出し途中から引き出し方向と略直交する方向に上方にスライド動作することを特徴とする。
【００１３】
従って、本発明によれば、エクステンションユニットにおけるケースからエクステンションプレートを外方に引き出し操作すれば、２枚のプレートが一体に引き出される。そして、幅方向スライド手段により、引き出し途中から一方側のプレートに対して他方側のプレートが引き出し方向と略直交する方向、すなわち、エクステンションプレートの幅方向寸法を拡大できるように上方にスライド動作するため、従来生じていた天井との間の隙間を２枚のエクステンションプレートにより有効に遮蔽することができる。
【発明の効果】
【００１４】
以上説明した通り、本発明に係るエクステンションユニット付きサンバイザは、サンバイザ本体内に収容されるケース内に引き出し自在に２枚のエクステンションプレートを重ね合わせて収容し、エクステンションプレートの引き出し操作時には、幅方向スライド手段により、引き出し途中から一方側のプレートに対して他方側のプレートが引き出し方向と略直交する方向、すなわち、従来遮蔽が困難であったエクステンションプレートの上方部分を遮蔽することができることから、遮光面積を従来に比べ拡大させることができ、安全走行に大きく貢献できるという効果を有する。
【発明を実施するための最良の形態】
【００１５】
以下、本発明に係るエクステンションユニット付きサンバイザの好適な実施例について、添付図面を参照しながら詳細に説明する。
【実施例１】
【００１６】
図１乃至図１２は本発明に係るエクステンションユニット付きサンバイザの第１実施例を示す。図１においてエクステンションユニット付きサンバイザの正面図、図２において同エクステンションユニット付きサンバイザの断面図がそれぞれ示されている。本発明に係るエクステンションユニット付きサンバイザ１０は、所望の遮光面積を有するサンバイザ本体２０と、このサンバイザ本体２０に内装されるエクステンションユニット３０とから大略構成されている。更に詳しくは、サンバイザ本体２０は、Ｌ字状の回動用シャフト２１により回動可能に支承され、この回動用シャフト２１はブラケット２２に挿通され、ブラケット２２を車体天井側にビス等により取付固定することにより、サンバイザ本体２０が車体側に取り付けられている。
【００１７】
従って、サンバイザ本体２０を回動用シャフト２１の軸廻りに回動操作することにより、サンバイザ本体２０を上下方向に回動操作できるとともに、回動用シャフト２１をブラケット２２廻りに回動操作することにより、左右方向、すなわちフロントウインドウ側とサイドウインドウ側からの遮光機能が得られる。
【００１８】
図１はサンバイザ本体２０を下方向に回動操作した後、サイドウインドウ側に旋回した状態を示す正面図である。また、図２に示すように、サンバイザ本体２０は、サンバイザコア２０ａの外表面をサンバイザ表皮２０ｂにより被包して構成され、サンバイザコア２０ａとしては、ＰＰ（ポリプロピレン）樹脂など、汎用の合成樹脂の射出成形体や、ＰＰビーズ発泡成形体等が使用でき、サンバイザ表皮２０ｂは、織布、不織布、合成樹脂シート等が使用できる。本実施例では、エクステンションユニット３０は、ＰＰビーズ発泡成形体からなるサンバイザコア２０ａに設けた格納凹部２３内に収容された後、サンバイザ表皮２０ｂにより被包して構成されている。
【００１９】
次いで、エクステンションユニット３０の構成について、図３乃至図６に基づいて詳細に説明する。まず、エクステンションユニット３０は、偏平状のケース３１，３２（アウターケース３１、インナーケース３２）と、ケース３１，３２内に引き出し自在に収容される２枚のエクステンションプレート３３，３４と、両者間に介装されるバネ部材３５と、ケース３１，３２の引き出し口に取り付けられるエクステンションエスカッション３６とから大略構成されている。
【００２０】
更に詳しくは、上記アウターケース３１は、表面側に位置し、このアウターケース３１は、開口を除く３辺に沿ってフランジ３１１が形成され、このフランジ３１１にサンバイザ本体２０に係止するための係止爪３１２が上下辺にそれぞれ３箇所ずつ形成され、また、インナーケース３２と接合するための係止孔３１３がフランジ３１１の複数箇所に設けられている。更に、このアウターケース３１には、後述するエクステンションプレート３３，３４の引き出しストロークを規制するストッパー受け３１４が設けられている。
【００２１】
一方、裏面側に位置するインナーケース３２は、同様にフランジ３２１が開口を残す３辺に沿って設けられており、このフランジ３２１には、アウターケース３１の係止孔３１３に係着する係止片３２２が対応する位置に設けられている。また、このインナーケース３２の内面には、エクステンションプレート３４のスライド動作時、低級音等が発生することがないように、緩衝テープ３２３が貼付されている。従って、アウターケース３１、並びにインナーケース３２双方のフランジ３１１，３２１を重ね合わせ、係止孔３１３内に係止片３２２を係着することで、ケース３１，３２をワンタッチで接合固定できる。
【００２２】
次いで、上述したケース３１，３２内に引き出し自在に収容されるエクステンションプレート３３，３４及び両者間に介装されるバネ部材３５の関係について、図３，図４を基に説明する。まず、２枚のエクステンションプレート３３，３４のうち、アウターケース３１に当接する側のエクステンションプレート（以下、第１プレートという）３３は、他方側のエクステンションプレート（以下、第２プレートという）３４に対向する面にバネ取付座３３１が形成され、このバネ取付座３３１内にバネ部材３５が収容保持される。
【００２３】
そして、第１プレート３３の後端３３ｂには、２つのガイド孔３３２，３３３が上下方向に沿ってやや傾斜して開設されており、ガイド孔３３２，３３３と、後端３３ｂとの間には、他方側の第２プレート３４を保持する押え片３３４と、第１プレート３３の引き出しストロークを規制するストッパー３３５が形成されている。
【００２４】
一方、第２プレート３４は、引き出し端３４ａ側に操作部３４１が形成され、操作部３４１に隣接する位置に第１プレート３３の先端３３ａを押圧する押え片３４２が形成されている。更に、第２プレート３４の上縁に沿う形状は、傾斜部３４３を介して幅寸法が変化するように設定されている。また、第１プレート３３に当接する面には、横方向に延びるフランジ３４４が形成され、このフランジ３４４は、バネ部材３５の上端部分を受け、このフランジ３４４にバネ圧が加わる構成になっている。
【００２５】
更に、第２プレート３４の後端３４ｂには、第１プレート３３のガイド孔３３２，３３３に収容されるガイドピン３４５，３４６が突設されているとともに、第２プレート３４の下縁には、ストッパー３４７が形成され、このストッパー３４７は、第１プレート３３と第２プレート３４とが引き出し方向と略直交する方向にスライドした際、ストッパー３４７がバネ取付座３３１に突き当たることで、上方向のスライド動作が規制される。
【００２６】
次いで、第１プレート３３、第２プレート３４の組付手順について図４を基に説明すると、まず、第１プレート３３の内面（第２プレート３４と対向する面）に形成されているバネ取付座３３１内にバネ部材３５を収容した後、図４中矢印で示すように、第１プレート３３と第２プレート３４とを密着接合させる。
【００２７】
このとき、バネ取付座３３１に収容されたバネ部材３５の上端のフリー端末が第２プレート３４のフランジ３４４に突き当たるように、第１プレート３３、第２プレート３４とを密着接合させるが、第１プレート３３のガイド孔３３２，３３３内に、第２プレート３４のガイドピン３４５，３４６をそれぞれ収容し、第１プレート３３の先端３３ａを第２プレート３４の押え片３４２で押さえ込むとともに、第２プレート３４の後端３４ｂを第１プレート３３の押え片３３４で押圧保持することで、第１プレート３３、第２プレート３４は、重合した状態で保持される。
【００２８】
図５，図６は、第１プレート３３、第２プレート３４の双方の関係を示すもので、図５は、第１プレート３３、第２プレート３４が共にケース３１，３２内に収容されている状態を示し、ケース３１，３２内に確実に収容されている状態では、エクステンションプレート３３，３４の幅寸法Ｌ１は、第１プレート３３、第２プレート３４の幅寸法に略等しい。
【００２９】
そして、本発明に係るエクステンションユニット３０においては、ケース３１，３２内に収容されるエクステンションプレートは、第１プレート３３、第２プレート３４とからなり、両者間にバネ部材３５が介装されているため、ケース３１，３２からエクステンションプレート３３，３４を引き出した場合、バネ部材３５のバネ圧が作用することで、図６に示すように、第１プレート３３に対して第２プレート３４が引き出し方向と略直交する方向に上方にスライド動作し、エクステンションプレート３３，３４のトータル幅寸法は、Ｌ２に拡大する。尚、ケース３１，３２の引き出し開口には、意匠性を考慮して、エクステンションエスカッション３６が取り付けられている。また、符号３６ａは、フランジを示す。
【００３０】
次いで、図７乃至図１１に基づいて、本実施例におけるエクステンションユニット３０の使用形態について説明する。まず、図１に示すエクステンションプレート（第１プレート３３、第２プレート３４）が収容された状態から、第２プレート３４の操作部３４１を目安にして、この第２プレート３４を図７に示すように引き出し操作すれば、第１プレート３３と第２プレート３４が共にスライド動作するが、このときは、図８に示すように、第１プレート３３と第２プレート３４との間のバネ部材３５は、圧縮された状態である。
【００３１】
そして、更に、第２プレート３４を外方に引き出し、図９に示すように、第２プレート３４の傾斜部３４３がケース３１，３２及びエクステンションエスカッション３６のフランジ３６ａから外部に引き出されれば、バネ部材３５からのバネ圧が加わり、第１プレート３３に対して第２プレート３４が引き出し方向と略直交する方向（図中Ａ矢印方向）に上方にスライド動作する。そして、第２プレート３４の引き出し動作については、第１プレート３３のストッパー３３５がアウターケース３１のストッパー受け３１４に突き当たることで、引き出しストロークが規制され、引き出し動作が完了する。
【００３２】
この状態において、第２プレート３４の傾斜部３４３は、ケース３１，３２及びエクステンションエスカッション３６のフランジ３６ａから外部に引き出され、エクステンションユニット３０は、図１０，図１１に示すように、第１プレート３３に対して第２プレート３４が最大限上方向にスライド動作した状態である。すなわち、第２プレート３４のストッパー３４７が第１プレート３３のバネ取付座３３１の底部に突き当たるため、この位置でエクステンションプレート３３，３４が保持される。
【００３３】
従って、従来遮蔽が困難であったエクステンションプレート上縁部の隙間を第２プレート３４の上方向に向くスライド動作で解消することにより、サンバイザの遮光機能を充分生かすことができる。尚、上述実施例で第１プレート３３と第２プレート３４との間に介装するバネ部材３５としては、図１２（ａ）に示すように湾曲状バネ３５Ａ、図１２（ｂ）に示すように直線状バネ３５Ｂや、図１２（ｃ）に示すようにジグザグ状バネ３５Ｃを使用することもできる。
【実施例２】
【００３４】
図１３乃至図１５は、本発明の第２実施例を示すもので、図１３はサンバイザ本体２０からエクステンションプレート３３，３４を引き出した状態を示す説明図、図１４は第２プレート３４の内面側を示す正面図、図１５はエクステンションユニット３０の構成を示す断面図である。尚、第１実施例と同一部分には同一符号を付し、その詳細な説明は省略する。
【００３５】
この第２実施例におけるエクステンションユニット３０では、第１実施例のバネ部材３５を省略し、傾斜カム機構を応用して２枚のエクステンションプレート（第１プレート３３、第２プレート３４）の動作を行なうようにしている。
【００３６】
すなわち、第２プレート３４におけるインナーケース３２対向面には、２列の凸条により、カム溝３４８が図１４に示すように形成されており、特に、第２プレート３４の傾斜部３４３と対応するように、このカム溝３４８においても、傾斜カム溝３４８ａが設定されている。そして、このカム溝３４８内に嵌まり込むように、カム用突起３６１がエスカッション３６の内面に突設されている。
【００３７】
従って、第２実施例においては、第２プレート３４の操作部３４１を手で持って、第２プレート３４をサンバイザ本体２０から外方に引き出せば、エクステンションエスカッション３６の内面に突設したカム用突起３６１が第２プレート３４の内面に形成したカム溝３４８内を移行し、第１プレート３３、第２プレート３４が重合した状態で外方に引き出される。
【００３８】
そして、このカム用突起３６１が第２プレート３４のカム溝３４８における傾斜カム溝３４８ａを通過する際、カム用突起３６１の傾斜カム作用により、第１プレート３３に対して第２プレート３４は、図１３中矢印Ａ方向にスライド動作することで、従来遮蔽が困難であった空間を第２プレート３４で充分に遮蔽することができる。
【００３９】
そして、この第２実施例においては、第１実施例で使用したバネ部材３５を廃止できるため、第１プレート３３、第２プレート３４の組付作業、並びに構造を簡素化でき、廉価に製作できるという利点がある。
【産業上の利用可能性】
【００４０】
実施例１、実施例２は、運転席、助手席側のサンバイザをサイドウインドウ側に展開した際の遮光範囲を拡大できるようにしたものであるが、フロントウインドウに展開した状態でフロントウインドウにおける遮光範囲を拡大できるようにしても良く、また、フロントウインドウのほぼ中央に位置するセンターバイザにエクステンションユニットを採用することもできる。
【図面の簡単な説明】
【００４１】
【図１】本発明に係るエクステンションユニット付きサンバイザの第１実施例におけるエクステンションプレートの収容状態を示す正面図である。
【図２】図１中II−II線断面図である。
【図３】本発明に係るエクステンションユニット付きサンバイザの第１実施例で使用するエクステンションユニットの構成を示す分解図である。
【図４】図３に示すエクステンションユニットにおけるエクステンションプレート及びバネ部材を示す説明図である。
【図５】図３に示すエクステンションユニットにおけるエクステンションプレートの重合状態を示す説明図である。
【図６】図３に示すエクステンションユニットにおけるエクステンションプレートの引き出し時の状態を示す説明図である。
【図７】図１に示すサンバイザ本体からエクステンションプレートを引き出す、引き出し初期時の状態を示す正面図である。
【図８】図７中VIII−VIII線断面図である。
【図９】図１に示すサンバイザ本体からエクステンションプレートを引き出す際の引き出し途中の状態を示す説明図である。
【図１０】図１に示すサンバイザ本体からエクステンションプレートを引き出す際の引き出し終了時の状態を示す説明図である。
【図１１】図１０中XI−XI線断面図である。
【図１２】図３に示すエクステンションユニットにおけるバネ部材の変形例を示す各説明図である。
【図１３】本発明の第２実施例におけるエクステンションユニット付きサンバイザであり、エクステンションプレートを引き出した状態を示す説明図である。
【図１４】本発明に係るエクステンションユニット付きサンバイザの第２実施例に使用する第２プレートの内面を示す説明図である。
【図１５】図１３中XV−XV線断面図である。
【図１６】従来のエクステンションユニット付きサンバイザを示す正面図である。
【図１７】従来のエクステンションユニット付きサンバイザにおけるエクステンションプレートを引き出した状態を示す説明図である。
【符号の説明】
【００４２】
１０  エクステンションユニット付きサンバイザ
２０  サンバイザ本体
２１  回動用シャフト
２２  ブラケット
２３  格納凹部
３０  エクステンションユニット
３１  ケース（アウターケース）
３１２  係止爪
３１３  係止孔
３１４  ストッパー受け
３２  ケース（インナーケース）
３２２  係止片
３２３  緩衝テープ
３３  エクステンションプレート（第１プレート）
３３１  バネ取付座
３３２，３３３  ガイド孔
３３４  押え片
３３５  ストッパー
３４  エクステンションプレート（第２プレート）
３４１  操作部
３４２  押え片
３４３  傾斜部
３４４  フランジ
３４５，３４６  ガイドピン
３４７  ストッパー
３４８  カム溝
３４８ａ  傾斜カム溝
３５，３５Ａ，３５Ｂ，３５Ｃ  バネ部材
３６  エクステンションエスカッション
３６ａ  フランジ
３６１  カム用突起
【図１】
2006001410.tif 000003
【図２】
2006001410.tif 000004
【図３】
2006001410.tif 000005
【図４】
2006001410.tif 000006
【図５】
2006001410.tif 000007
【図６】
2006001410.tif 000008
【図７】
2006001410.tif 000009
【図８】
2006001410.tif 000010
【図９】
2006001410.tif 000011
【図１０】
2006001410.tif 000012
【図１１】
2006001410.tif 000013
【図１２】
2006001410.tif 000014
【図１３】
2006001410.tif 000015
【図１４】
2006001410.tif 000016
【図１５】
2006001410.tif 000017
【図１６】
2006001410.tif 000018
【図１７】
2006001410.tif 000019